(57)【要約】【課題】支持体形状を開状態に固定するとともにロック感を得ることができ、かつ、フィルターと支持体との接触による支持体外への液漏れが生じないドリッパーを提供する。【解決手段】ドリッパー１は、袋状のフィルター２と、そのフィルター２が内部に位置する状態で折り畳み可能に形成された筒状の支持体３と、を有する。筒状の支持体３は、一方の開口７ａを構成する第１開口部７と、他方の開口８ａを構成する第２開口部８と、支持体形状を筒状の開状態に固定するロック構造２０と、を有している。ロック構造２０は、折り畳み状態にある支持体３の両側において第１開口部７から第２開口部８にかけて形成された第１の折り目Ｍ１と、第１の折り目Ｍ１に対して交差するように押し罫で形成された第２の折り目Ｍ２と、を有する。【選択図】図３
2020089520.tif 000002
【特許請求の範囲】
【請求項１】
袋状のフィルターと、そのフィルターが内部に位置する状態で折り畳み可能に形成された筒状の支持体と、を有するドリッパーであって、
前記筒状の支持体が、一方の開口を構成する第１開口部と、他方の開口を構成する第２開口部と、支持体形状を筒状の開状態に固定するロック構造と、を有し、
前記ロック構造が、折り畳み状態にある前記支持体の両側において前記第１開口部から前記第２開口部にかけて形成された第１の折り目と、前記第１の折り目に対して交差するように押し罫で形成された第２の折り目と、を有することを特徴とするドリッパー。
【請求項２】
前記ロック構造が、前記第２の折り目の両側に隣り合って位置する切り込みで形成された第３の折り目を有することを特徴とする請求項１記載のドリッパー。
【請求項３】
前記第２の折り目が前記支持体の外側に向かって谷折りに形成されることにより、前記支持体形状が筒状の開状態に固定されることを特徴とする請求項１又は２記載のドリッパー。
【請求項４】
前記第２の折り目が前記第２開口部側に凸の曲線形状を有することを特徴とする請求項１〜３のいずれか１項に記載のドリッパー。
【請求項５】
前記支持体を折り畳み状態から筒状の開状態にすると前記フィルターが開口するように、前記第１開口部に前記フィルターの開口部が取り付けられていることを特徴とする請求項１〜４のいずれか１項に記載のドリッパー。
【請求項６】
前記支持体形状が筒状の開状態に固定された状態において、前記第２の折り目と前記フィルターとが接触した状態にあることを特徴とする請求項１〜５のいずれか１項に記載のドリッパー。
【請求項７】
前記支持体が折り曲げられた１枚のブランク板により形成されていることを特徴とする請求項１〜６のいずれか１項に記載のドリッパー。
【請求項８】
前記フィルター内に被抽出成分を有する内容物が封入されていることを特徴とする請求項１〜７のいずれか１項に記載のドリッパー。
【発明の詳細な説明】
【技術分野】
【０００１】
本発明はドリッパーに関するものであり、例えば、被抽出成分を有する内容物（例えば、レギュラーコーヒー粉，紅茶の葉，緑茶の葉等）を濾すときに使用するドリッパー、及び被抽出成分を有する内容物が予め収納されたドリッパーに関するものである。
【背景技術】
【０００２】
レギュラーコーヒー粉を収納する袋状のフィルターと、そのフィルターをカップ上に位置させる筒状の支持体（スリーブ状の台紙）と、からなる使い捨てタイプのコーヒードリッパーが、従来より知られている。支持体は厚紙からなっていることが多く、使用前の支持体は内側にフィルターが取り付けられた状態で折り畳まれている。コーヒーを淹れる際には、支持体を折り畳まれた状態から筒状の開状態にした後、カップ上にドリッパーを載置して、フィルター内にレギュラーコーヒー粉を投入する。フィルター内にレギュラーコーヒー粉が予め封入されているタイプでは、フィルターを開封し、支持体を折り畳まれた状態から筒状の開状態にした後、カップ上にドリッパーを載置する。いずれの場合も、フィルター内に熱湯を注ぐと、抽出されたコーヒーがフィルターを通過してカップ内に溜まることになる。
【０００３】
上記のようなコーヒードリッパーは、廃棄の容易な使い捨てタイプでありながら、ドリップコーヒーを簡易に淹れることができて便利である。しかし、フィルター内に熱湯を注ぐためには、支持体を筒状の開状態に保持する必要がある。従来より様々なタイプのドリッパーが提案されているが、例えば特許文献１，２に記載のドリッパーは、両サイドに設けられたロック構造で、支持体形状を筒状の開状態に固定する構成になっている。また特許文献３に記載のドリッパーは、支持体の下部に設けられた脚部でカップを押さえ込んで、支持体形状を筒状の開状態に固定する構成になっている。
【先行技術文献】
【特許文献】
【０００４】
【特許文献１】特開２００４−７１１号公報
【特許文献２】特開２０１０−９９４６２号公報
【特許文献３】特開２００４−１９５１９８号公報
【発明の概要】
【発明が解決しようとする課題】
【０００５】
特許文献１，２に記載のドリッパーでは、ロック構造でドリッパーがカップに固定されるわけではないが、カップにドリッパーを固定したようなロック感を得ることが可能である。しかし、ロック構造の一部として穴やミシン目が支持体の両サイドに設けられているため、その部分にフィルターが接触するとコーヒーがドリッパー外に漏れるおそれがある。例えば、穴やミシン目から支持体にコーヒーが染み込んでドリッパーの外観が悪くなったり、ドリッパーを持った時に手がコーヒーで汚れたりするといった、液漏れの問題が発生する。
【０００６】
上記のような液漏れを防止するには、フィルターが支持体に接触しないようにフィルターを小型化することが必要になり、結果として、ドリッパーは小容量化するか又は大型化することになる。それに対し、特許文献３に記載のドリッパーでは、支持体に接触するまでフィルターを大型化することが可能である。しかし、ロック構造が無いため、支持体形状を開状態に固定してもロック感を得ることはできない。
【０００７】
本発明はこのような状況に鑑みてなされたものであって、その目的は、支持体形状を開状態に固定するとともにロック感を得ることができ、かつ、フィルターと支持体との接触による支持体外への液漏れが生じないドリッパーを提供することにある。
【課題を解決するための手段】
【０００８】
上記目的を達成するために、第１の発明のドリッパーは、袋状のフィルターと、そのフィルターが内部に位置する状態で折り畳み可能に形成された筒状の支持体と、を有するドリッパーであって、
前記筒状の支持体が、一方の開口を構成する第１開口部と、他方の開口を構成する第２開口部と、支持体形状を筒状の開状態に固定するロック構造と、を有し、
前記ロック構造が、折り畳み状態にある前記支持体の両側において前記第１開口部から前記第２開口部にかけて形成された第１の折り目と、前記第１の折り目に対して交差するように押し罫で形成された第２の折り目と、を有することを特徴とする。
【０００９】
第２の発明のドリッパーは、上記第１の発明において、前記ロック構造が、前記第２の折り目の両側に隣り合って位置する切り込みで形成された第３の折り目を有することを特徴とする。
【００１０】
第３の発明のドリッパーは、上記第１又は第２の発明において、前記第２の折り目が前記支持体の外側に向かって谷折りに形成されることにより、前記支持体形状が筒状の開状態に固定されることを特徴とする。
【００１１】
第４の発明のドリッパーは、上記第１〜第３のいずれか１つの発明において、前記第２の折り目が前記第２開口部側に凸の曲線形状を有することを特徴とする。
【００１２】
第５の発明のドリッパーは、上記第１〜第４のいずれか１つの発明において、前記支持体を折り畳み状態から筒状の開状態にすると前記フィルターが開口するように、前記第１開口部に前記フィルターの開口部が取り付けられていることを特徴とする。
【００１３】
第６の発明のドリッパーは、上記第１〜第５のいずれか１つの発明において、前記支持体形状が筒状の開状態に固定された状態において、前記第２の折り目と前記フィルターとが接触した状態にあることを特徴とする。
【００１４】
第７の発明のドリッパーは、上記第１〜第６のいずれか１つの発明において、前記支持体が折り曲げられた１枚のブランク板により形成されていることを特徴とする。
【００１５】
第８の発明のドリッパーは、上記第１〜第７のいずれか１つの発明において、前記フィルター内に被抽出成分を有する内容物が封入されていることを特徴とする。
【発明の効果】
【００１６】
本発明によれば、支持体形状を筒状の開状態に固定するロック構造が、第１の折り目に対して交差するように押し罫で形成された第２の折り目を有する構成になっているため、支持体形状を開状態に固定するとともにロック感を得ることができ、かつ、フィルターと支持体との接触による支持体外への液漏れの発生を防止することができる。
【図面の簡単な説明】
【００１７】
【図１】ドリッパーの一実施の形態を折り畳み状態で示す正面図。
【図２】図１のドリッパーを筒状の開状態で示す正面図。
【図３】図１のドリッパーを筒状の開状態で示す側面図。
【図４】図１のドリッパーを筒状の開状態で示す上面図。
【図５】図１のドリッパーを構成している支持体のブランク板を示す平面図。
【発明を実施するための形態】
【００１８】
以下、本発明の実施の形態に係るドリッパー等を、図面を参照しつつ説明する。図１にドリッパー１の外観を折り畳み状態で示し、図２〜図４にドリッパー１の外観を筒状の開状態で示す。図１及び図２はドリッパー１の正面図であり、図３はドリッパー１の側面図であり、図４はドリッパー１の上面図である。
【００１９】
ドリッパー１は、袋状のフィルター２と、そのフィルター２が内部に位置する状態で折り畳み可能に形成された筒状の支持体（スリーブ状の台紙）３と、を有する構成になっている。このドリッパー１は、支持体３が折り畳み可能であることから携帯に適しており、廃棄の容易な材料で構成可能な簡易構造を有することから使い捨てに適している。つまり、携帯可能な使い捨てタイプでありながら、例えばドリップコーヒーを簡易に淹れることができるという長所を有している。
【００２０】
被抽出成分を有する内容物１８（図４；例えば、レギュラーコーヒー粉，紅茶の葉，緑茶の葉等）は、使用時にフィルター２内に収納されるか、あるいはフィルター２内に予め封入される。フィルター２の材料としては、袋状にする際の加工性を考慮して、熱接着性を素材に有するシート材料、片面（袋状にしたときの最内層）に熱接着性を有するシート材料等を用いることが好ましい。例えば、ポリオレフィン系（ポリエチレン，ポリプロピレン等），ポリエステル系等の材料からなる透水性不織布、ポリオレフィン系（ポリエチレン，ポリプロピレン等），ポリエステル系等の熱可塑性樹脂を片面（袋状にしたときの最内層）に含有する多層構造の濾紙等が挙げられる。袋状の加工は、上記シート材料を２つ折り又はガセット折りすることにより重ね合わせ、所定形状に熱接着し、裁断・型抜きすることにより行われる。
【００２１】
フィルター２を所定の形状に保ちながら、カップ１７（図２〜図４）上にセットすることを可能としているのが、筒状の支持体３である。この支持体３は、図２〜図４に示すように、一方の開口７ａを構成する第１開口部７と、他方の開口８ａを構成する第２開口部８と、を有しており、支持体３を折り畳み状態（図１）から筒状の開状態（図２〜図４）にするとフィルター２が開口するように、第１開口部７にフィルター開口部９（図４）が取り付けられている。このフィルター２の取り付けは、支持体３内にフィルター２を挿入し、支持体３の第１開口部７の縁で外側へ折り返し、その折り返し部分を支持体３の外面に貼り着けることにより行われる。このようにフィルター２を取り付けると、使用時に支持体３を筒状の開状態（図２〜図４）にした際、フィルター２が大きく開口して注湯やドリップに適した状態となる。
【００２２】
支持体３は、図５に示す１枚のブランク板３Ａの折り曲げ等により形成されている。図５は支持体３の展開図であり、ブランク板３Ａは、板状のシート材料を展開図（図５）のように打ち抜くことにより形成される。ブランク板３Ａの材質は特に限定されるものではないが、例えば、耐水カード紙，アイボリー紙等の厚紙や両面（特に支持体３の内側面）に樹脂（ポリエチレン等）が塗布された厚紙を、シート材料として用いることができる。なお、樹脂が塗布された厚紙でブランク板３Ａを構成すると、支持体３に熱湯や湯気がかかっても、その剛性の低下を防止することができる。
【００２３】
ブランク板３Ａ（図５）は、折り曲げ線Ｌ１を境界とする３つの部分、つまり前面板４と背面板５と糊代片６とで構成されている。前面板４と背面板５には、Ｔ字形状の切り込み１４と、扇形状の孔１６と、折り曲げ線Ｌ２，Ｌ３，Ｌ４，Ｌ５，Ｌ６と、凹部Ｎと、が左右対称にそれぞれ設けられている。切り込み１４は、支持体３の第２開口部８（図１等）に相当する部分に位置しており、孔１６は第１，第２開口部７，８に相当する部分の中間に位置している。
【００２４】
折り曲げ線Ｌ１，Ｌ２は押し罫で構成されており、折り曲げ線Ｌ３は切り込みで構成されている。折り曲げ線Ｌ１は押し罫から成ることが好ましいが、必要に応じて、ミシン罫等の罫線を採用してもよい。また、折り曲げ線Ｌ４〜Ｌ６は、部分的に繋ぎ部（刃止め部）が設けられた切り込みで形成されているが、必要に応じて、押し罫，ミシン罫等の罫線を採用してもよい。なお、支持体３内にフィルター２を取り付ける際、孔１６を通してフィルター２を押さえることにより、支持体３に対するフィルター２の相対的な位置ズレを効果的に抑えることができる。
【００２５】
支持体３の第２開口部８（図１等）に相当する部分には、図５に示すように、突出部１１と脚部１３が複数形成されている。つまり、各折り曲げ線Ｌ１の位置とその貼り合わせ位置に突出部１１が形成されており、２本の折り曲げ線Ｌ１の位置の中間に脚部１３が形成されている。同一の切り込み１４で２つの脚部１３が形成されており、各脚部１３の突出部１１側には凹部Ｎが形成されている。この凹部Ｎと切り込み１４との組み合わせによって、ブランク板３Ａを形成する際のシート材料の無駄を抑えながら、脚部１３が支持体３の第２開口部８側に屈曲した形状に形成されている。
【００２６】
支持体３を組み立てる際には、まず、前面板４と背面板５との境界の折り曲げ線Ｌ１に沿ってブランク板３Ａを折り曲げて、前面板４と背面板５とが重なった状態にする。次に、前面板４と糊代片６との境界の折り曲げ線Ｌ１に沿ってブランク板３Ａを折り曲げて、糊代片６が背面板５に重なった状態とする。その状態で背面板５に糊代片６を接着すると、ブランク板３Ａは筒状となって折り畳み状態の支持体３が得られる。さらに、支持体３内にフィルター２を取り付けると、前述したように折り畳み状態のドリッパー１（図１）が得られる。
【００２７】
各折り曲げ線Ｌ１に沿ったブランク板３Ａの折り曲げによって、各折り曲げ線Ｌ１の位置に折り目Ｍ１（図１）が形成される。折り畳み状態の支持体３（図１）に対して、左右の折り目Ｍ１を互いに近づく方向に押圧すると、各孔１６の上端及び下端と折り目Ｍ１側頂点に力が集中する。このため、折り曲げ線Ｌ２〜Ｌ６に沿ってブランク板３Ａを簡単に折り曲げることができる。
【００２８】
上記折り曲げにより、各折り曲げ線Ｌ２〜Ｌ６の位置に折り目Ｍ２〜Ｍ６（図２，図３）が形成されて、図４に示すように、支持体３の第１開口部７及び第２開口部８で略六角形の開口７ａ，８ａが形成される。そして、支持体３が筒状の開状態（図２〜図４）になるとともに、フィルター開口部９においても略六角形の開口９ａが形成される。なお、ドリッパー１を大容量化するために、図４中の折り目Ｍｆで示すように、フィルター２の底部はガセット折りされている。
【００２９】
上記のようにして形成された折り目Ｍ１〜Ｍ６は、支持体３の形状を筒状の開状態に固定するロック構造として機能する。ロック構造の主要部は、折り畳み状態にある支持体３の両側において第１開口部７から第２開口部８にかけて形成された第１の折り目Ｍ１と、第１の折り目Ｍ１に対して交差するように押し罫で形成された第２の折り目Ｍ２である。前述したように左右の折り目Ｍ１を互いに近づく方向に押圧すると、第１の折り目Ｍ１と第２の折り目Ｍ２との交差点が支持体３の内側に向かって頂点を成すように、折り目Ｍ１，Ｍ２が折り曲がった状態となる。つまり、第１の折り目Ｍ１が略くの字形状に屈曲するとともに、第２の折り目Ｍ２が支持体３の外側に向かって谷折りに形成される。このときロック感が発生し、それと同時に支持体３の形状が筒状の開状態に固定される。
【００３０】
第３の折り目Ｍ３は、第２の折り目Ｍ２の左右両側に隣り合って位置し、かつ、切り込みで形成されている。押し罫から成る折り曲げ線Ｌ２よりも切り込みから成る折り曲げ線Ｌ３の方が折り曲げが容易であるため、前記折り目Ｍ１での押圧による第３の折り目Ｍ３の形成によって第２の折り目Ｍ２の形成が誘導され、結果として、第３の折り目Ｍ３によって支持体３の形状固定とロック感が強化される。なお、折り目Ｍ２〜Ｍ６は支持体３内のフィルター２からは接触しにくい位置にあるため、切り込みで形成されていても液漏れは生じにくい。
【００３１】
第２の折り目Ｍ２と第３の折り目Ｍ３が、第２開口部８側に凸の曲線形状（いわゆるリーフ形状）を有しているため、前記折り目Ｍ１での押圧による折り目Ｍ２，Ｍ３の形成を、折り曲げ線Ｌ２，Ｌ３に沿ってきれいに行うことができる。つまり、押し罫に対する押し込み易さの点で、第２の折り目Ｍ２はリーフ形状を有することが好ましく、第２の折り目Ｍ２と第３の折り目Ｍ３の両方がリーフ形状を有することが更に好ましい。なお、支持体３の形状固定とロック感に関しては、第２，第３の折り目Ｍ２，Ｍ３のうちの少なくとも一方が直線形状を有する場合でも、曲線形状の場合と同様の効果が得られる。
【００３２】
支持体３の形状が筒状の開状態に固定された状態において、第２の折り目Ｍ２とフィルター２とは接触した状態にある。支持体３とフィルター２とは支持体３の左右両側で最も近づくため、液漏れを防止するために支持体３とフィルター２との接触を避けようとすれば、支持体３を横長に大きくすることが通常必要となる。しかし、この支持体３では第２の折り目Ｍ２が押し罫で構成されているため、フィルター２と接触しても液漏れは生じない。つまり、フィルター２を支持体３と接触するまで大きくしても、コーヒーの滲み出し等を防止することができる。したがって、液漏れを防止すると同時に、ドリッパー１の小型化と大容量化とを両立させることができる。なお、流下方向に延びる切り込みからは液漏れが生じにくいので、第１の折り目Ｍ１をミシン目で形成した場合でも液漏れは生じにくい。
【００３３】
上述のようにして組み立てられた支持体３の第２開口部８には、図１〜図４に示すように、開口８ａを介して対向する１対の突出部１１と、開口８ａを介して対向する２対の脚部１３と、が形成されている。折り曲げ線Ｌ２〜Ｌ６に沿ったブランク板３Ａの折り曲げにより、支持体３が筒状の開状態になると、突出部１１と脚部１３は、図２〜図４に示すように第２開口部８の所定位置に配置される。つまり、支持体３の折り畳み状態（図１）における両側の折り曲げ位置（折り目Ｍ１の形成位置）には突出部１１が設けられ、２つの突出部１１の間には脚部１３が設けられる。突出部１１と脚部１３が支持体３の第２開口部８にバランス良く配置されるため、ドリッパー１は重心が全体的に低くなって安定化される。なお、脚部１３が不用意に開いてしまうことを防止するため、切り込み１４には部分的に繋ぎ部（刃止め部）を設けておくことが好ましい。
【００３４】
ドリッパー１の使用時、例えばコーヒーを淹れる際には、支持体３を折り畳み状態（図１）から筒状の開状態（図２〜図４）にしてフィルター２を開口させた後、カップ１７上にドリッパー１を載置し、内容物１８（図４）としてレギュラーコーヒー粉をフィルター２内に投入する。フィルター２内にレギュラーコーヒー粉が予め封入されているタイプでは、フィルター２を開封し、支持体３を折り畳まれた状態から筒状の開状態にした後、カップ１７上にドリッパーを載置する。いずれの場合も、開口９ａからフィルター２内に熱湯を注ぐと、抽出されたコーヒーがフィルターを通過してカップ内に溜まることになる。
【００３５】
上記のようにして、開口９ａからフィルター２内に所定量の熱湯を注ぐことにより、フィルター２内の内容物１８から所望の成分が抽出された飲料（コーヒー，紅茶，緑茶等）をカップ１７内に得ることができる。なお、孔１６からカップ１７内の様子が見えるので、熱湯を注ぎながらカップ１７内のコーヒー量を容易に確認することができる。
【００３６】
上記のように支持体３が筒状の開状態にあるドリッパー１をカップ１７上に載置すると、図２〜図４に示すように、突出部１１はカップ１７の縁の内側に位置することになり、脚部１３は第２開口部１２よりも外側に位置することになり、脚部１３の先端部分はカップ１７の縁の外側に位置することになる。折り畳み状態（図１）に戻ろうとする支持体３の復元力によって、カップ１７の内側に位置する突出部１１と、カップ１７の外側に位置する脚部１と、でカップ１７の縁が内外から強く押さえ込まれるため、大容量のドリッパー１でも安定した状態に保持される。
【００３７】
脚部１３の屈曲した形状（例えば、屈曲位置での係止）により支持体３の移動がカップ１７の縁で制限されるので、カップ１７の存在無しにドリッパー１の位置が固定されることはない。つまり、カップ１７の縁が第２開口部８から脚部１３の屈曲位置までの範囲内にあれば、ドリッパー１の形状を開状態に保ちながら、ドリッパー１をカップ１７上にセットすることができる。したがって、カップ１７の多様性（様々なカップサイズやカップ形状等）に幅広く対応することが可能である。なお、カップサイズ・カップ形状に応じて、突出部１１がカップ１７の縁の外側に位置するようにドリッパー１をカップ１７上にセットしてもよく、突出部１１を省略して脚部１３のみでドリッパー１をカップ１７上にセットしてもよい。
【００３８】
前述したように、この実施の形態によれば、支持体３の形状を筒状の開状態に固定するロック構造２０が、第１の折り目Ｍ１に対して交差するように押し罫で形成された第２の折り目Ｍ２を有する構成になっているため、支持体３の形状を開状態に固定するとともにロック感を得ることができ、かつ、フィルター２と支持体３との接触による支持体３外への液漏れの発生を防止することができる。
【００３９】
また、支持体３の第２開口部８に、突出部１１とその間に位置する脚部１３とが形成されているため、突出部１１と脚部１３でドリッパー１の重心が全体的に低くなって安定性が向上する。さらに、突出部１１と脚部１３とでカップ１７の縁が内外から押さえ込まれることにより、カップ１７に対するドリッパー１の装着状態が安定化される。したがって、大容量のドリッパー１でもカップ１７にフィットさせることができ、抽出時に高い安定性を得ることができる。しかも、脚部１３は支持体３の移動を制限するために屈曲した形状を有しているため、カップ１７の縁を外側から押さえ込みながらカップ１７に対しては固定されない状態となる。これにより、カップ１７の縁に対する脚部１３の配置の自由度が高くなるため、様々な口径サイズのカップに対応することが可能となる。
【符号の説明】
【００４０】
１    ドリッパー
２    フィルター
３    支持体
３Ａ    ブランク板
４    前面板
５    背面板
６    糊代片
７    第１開口部
８    第２開口部
９    フィルター開口部
７ａ，８ａ，９ａ  開口
１１    突出部
１３    脚部
１４    切り込み
１６    孔
１７    カップ
１８    内容物
２０    ロック構造
Ｌ１，Ｌ２，Ｌ３，Ｌ４，Ｌ５，Ｌ６    折り曲げ線
Ｍ１，Ｍ２，Ｍ３，Ｍ４，Ｍ５，Ｍ６，Ｍｆ    折り目
Ｎ    凹部
【図１】
2020089520.tif 000003
【図２】
2020089520.tif 000004
【図３】
2020089520.tif 000005
【図４】
2020089520.tif 000006
【図５】
2020089520.tif 000007